(57)【特許請求の範囲】
【請求項１】
内部を前後方向及び／又は左右方向の仕切部で区画して複数の収納部を形成したケース本体にヘアピンの差し挟み保持を可能とするフランジ部を外方突出状に設け、該フランジ部にヘアピンを前記差し挟み保持の姿勢から回動して開脚させるべく片脚を挿入可能な開口部を形成し、
及び／又は、上方から差し込まれたヘアピンの開脚と保持とを行うべく、前記仕切部の上部に上縁部より下方部で厚肉とされた厚肉部を設けていることを特徴とするヘアピンケース。
【請求項２】
前記厚肉部は、二重側壁構造を有し、この二重側壁間に形成される空間を下方に開放していることを特徴とする請求項１に記載のヘアピンケース。
【請求項３】
前記収納部の底壁内面と前後方向側壁及び／又は左右方向側壁のコーナー部が断面略円弧状であることを特徴とする請求項１又は２に記載のヘアピンケース。
【請求項４】
前記収納部の内面にヘアピン磁着部材を設けることを特徴とする請求項１〜３のいずれかに記載のヘアピンケース。
【請求項５】
前記ケース本体の底壁下面に滑り止め部材を設けることを特徴とする請求項１〜４のいずれかに記載のヘアピンケース。
【請求項６】
前記ケース本体には、このケース本体を開閉するケースカバーを着脱自在に設けており、このケースカバーの内面にヘアピンの収納部間移動を規制する規制部を形成していることを特徴とする請求項１〜５のいずれかに記載のヘアピンケース。
【発明の詳細な説明】
【０００１】
【発明の属する技術分野】
本発明は、髪形をセットする際に使用するヘアピンを収納するヘアピンケースに関するものである。
【０００２】
【従来の技術】
人間の頭部毛髪を所定の位置に留め、所望の髪型にするためのものの１つとして、従来よりヘアピンが用いられている。
このヘアピンを多数使用する美容院や美容技術学校においては、美容師は使い勝手を考えヘアピンを同種ごとに分けた上で既成のケースに収納し、セット時はそのケースから必要な本数取り出して使用している。
また、ヘアピンを髪に取り付ける際、美容師はヘアピンを開脚させ、その間に固定したい髪の毛を挟み込むようにしている。そのため、装着時には、ヘアピンの脚に指や爪で力を加えることで開脚させたり、口や歯で片脚を銜えつつもう一方の片脚を指で開いていた。
【０００３】
【発明が解決しようとする課題】
しかしながら、ヘアピンを指や爪で力を加え開脚させる操作は効率が悪い上に、ヘアピンを口でくわえて開脚させることは非常に不衛生である。
そこで、本発明は、上記問題点に鑑み、ヘアピンの開脚及び取り扱いが容易にできるヘアピンケースを提供するようにしたものである。
【０００４】
【課題を解決するための手段】
本発明における課題解決のための具体的手段は、内部を前後方向及び／又は左右方向の仕切部で区画して複数の収納部を形成したケース本体にヘアピンの差し挟み保持を可能とするフランジ部を外方突出状に設け、該フランジ部にヘアピンを前記差し挟み保持の姿勢から回動して開脚させるべく片脚を挿入可能な開口部を形成し、
及び／又は、上方から差し込まれたヘアピンの開脚と保持とを行うべく、前記仕切部の上部に上縁部より下方部で厚肉とされた厚肉部を設けていることである。
【０００５】
これにより、ケース本体２内の複数の収納部９に、予め分別したヘアピン８を個別に収納できるようになる。また、フランジ部及び／又は厚肉部を用いることでヘアピン８の開脚が容易に行えると共に、フランジ部、厚肉部に複数のヘアピン８を差し挟みこんで保持することができるようになる。また、フランジ部に保持されているヘアピン８を上方に回動することでその片脚が開口部１０に挿入され、ヘアピン８を大きく開脚させることができる。
本発明における課題解決のための他の具体的手段は、前記仕切部４は、厚肉部が二重側壁構造であり、この二重側壁間に形成される空間３２を下方に開放していることである。
【０００６】
これにより、前記仕切部４の厚肉部は中空となるため、その部位を形成する材料を節減することができる。
本発明における課題解決のための他の具体的手段は、前記収納部９の底壁１２内面と左右方向側壁１１Ａ及び／又は前後方向側壁１１Ｂのコーナー部１７Ａ，１７Ｂが断面略円弧状であることである。
これによると、収納部９の底壁１２内面のコーナー部１７Ａが丸みを帯びているため、ヘアピン８が少なくなっても、このコーナー部１７Ａに滞ることなくヘアピン８をスムーズに取り出せるようになる。また、コーナー部１７Ｂが丸みを帯びているため、ヘアピン８がコーナー部１７Ｂで押し戻され、常に収納部９の中央部に位置するようになり、その取り出しがさらに容易になる。
【０００７】
本発明における課題解決のための他の具体的手段は、前記収納部９の内面にヘアピン磁着部材２０を設けることである。
これにより、収納部９の側壁１１上方にヘアピン８が一本ずつ分離して磁着することになり、ヘアピン８を取り出しやすくなる上に指先でヘアピン８を探す手間が不要となる。
本発明における課題解決のための他の具体的手段は、前記ケース本体２の底壁４１下面に滑り止め部材２１を設けることである。
【０００８】
これにより、ヘアピン８を取り出したり、各オープナー３，６で開脚させるときにケース本体２がケース載置台４８上を滑ることが無くなる。特に、ケース本体２がワゴンなどの狭いケース載置台４８に置かれている場合、そこからの滑り落ちを防止できる。
本発明における課題解決のための他の具体的手段は、前記ケース本体２には、このケース本体２を開閉するケースカバー７を着脱自在に設けており、このケースカバー７の内面にヘアピン８の収納部９間移動を規制する規制部１５を形成していることである。
【０００９】
これにより、ケースカバー７をケース本体２に被せることで、収納部９が閉じられると共に、仕切部４の上縁部５とケースカバー７内面により形成される隙間が無くなる若しくは減少する。したがって、ケース本体２を持ち歩くなどして移動させた場合でも、ケース本体２内からヘアピン８が外に飛び出てバラバラにならない上に、各収納部９間でのヘアピン８の移動も防ぐことができるようになる。さらに、このケースカバー７はケース本体２に着脱自在であるため、ケースカバー７を取り外して適宜使用可能になる。
【００１０】
【発明の実施の形態】
以下、本発明の実施の形態を図面に基づいて説明する。
図１〜６において、ヘアピンケース１は、内部を前後方向（図２の上下方向）に向いた仕切部４及び左右方向（図２の左右方向）に向いた仕切部４で区画して複数の収納部９を形成したケース本体２を有し、この収納部９内の左右方向の向きに、各収納部９にほぼ対応した長さを有するヘアピン８若しくは同種類のヘアピン８がそれぞれ収納されている。
【００１１】
このケース本体２には、ケースカバー７が着脱自在に取り付けられていると共に、ヘアピン８の差し挟み保持及び開脚を可能にするために、右側壁３９Ａ外面に外方へ突出したフランジ状のフランジオープナー３（フランジ部）が設けられている。また、仕切部４の上方には、同じくピン開脚を可能とすべく仕切オープナー６（厚肉部）が設けられている。
詳しくは、図２〜５に示すように、ケース本体２は左右方向に長い直方体であり、上方が開口部４２となっている。ケース本体２の内部は、左右方向を向く仕切部４で前後方向２つに区画されており、さらに、区画された２つの空間のそれぞれは、前後方向を向く仕切部４を２つ設けることにより３つの収納部９に区画されている。したがって、このケース本体２の内部は６つの収納部９に区画され、さらに、各収納部９はオニピン、ボブピン、ネジピン、玉付きピン、アメリカピン等の各種ヘアピンを収納できるようにその左右方向の長さが異なっている。
【００１２】
それぞれの仕切部４には、その上部に、上縁部５より下方部で厚肉となる仕切オープナー６が設けられている。この厚肉部位は二重側壁構造であり、二重側壁間に形成される空間３２は下方に開放される構造となっている。これにより厚肉部位の内部は中空となり、すなわち、各収納部９を形成する側壁１１Ａ，１１Ｂは空間を挟んで独立して形成され、仕切部４を形成する材料を節減している。
ケース本体２の側壁３９で上部開口部４２よりやや下がった位置には、全周に渡ってフランジ１３が外方に突出しており、ケースカバー７閉蓋時に、ケースカバー７の受けになっている。
【００１３】
前記フランジ１３の内、ケース本体２の右側壁３９Ａの外面にあたる部位は、さらに外方へ突出した形状のフランジオープナー３となっている。このフランジオープナー３は、そのフランジ部において、ヘアピン８の片脚を挿入することが可能な大きさの開口部１０を前後方向に２つ有している。この２つの開口部の間に形成される架橋部４４は、フランジオープナーの剛性を増加させる作用を奏している。
このフランジオープナー３には、その幅方向両側と架橋部４４の下側に補強三角片４５が形成されている。この補強三角片４５の一辺は右側壁３９Ａの外面に固着しているため、フランジオープナー３の剛性がさらに増すこととなりヘアピン８の開脚を容易にする。また、ヘアピン８開脚時に大きな力がフランジオープナー３に加わったとしても、かかる補強三角片４５があるため、フランジオープナー３が根本から折れるなどの不都合を生じることはない。
【００１４】
図３，４に示すように、前記収納部９の底壁１２内面と左右方向側壁１１Ａにより形成されるコーナー部１７Ａが断面略円弧状となっている。さらに、底壁１２内面と前後方向側壁１１Ｂにより形成されるコーナー部１７Ｂも断面略円弧状となっている。すなわち、各収納部９の底壁１２のコーナー部１７Ａ，１７Ｂは外向きに丸みを有している。
収納部９の底壁１２内面のコーナー部１７Ａが丸みを帯びているため、ヘアピン８が少なくなっても、このコーナー部１７Ａに滞ることなくヘアピン８をスムーズに取り出せるようになる。また、コーナー部１７Ｂが丸みを帯びているため、ヘアピン８がコーナー部１７Ｂで押し戻され、常に収納部９の中央部に位置するようになり、その取り出しがさらに容易になる。
【００１５】
なお、前後方向のコーナー部１７Ａの丸みが大きいほどヘアピン８を取り出しやすくなるため、前記コーナー部１７Ａの丸みは、左右方向のコーナー部１７Ｂの丸みより大きいことが好ましい。
加えて、各収納部９の内面で前後方向には、ヘアピン８を磁力で吸着するヘアピン磁着部材２０であるシート状マグネット２３が帯状に貼り付けてある。これにより、収納部９の側壁１１上方のヘアピン磁着部材２０にヘアピン８が一本ずつ分離して磁着することになり、ヘアピン８を取り出しやすくなる上に指先でヘアピン８を探す手間が不要となる。
【００１６】
ここで、シート状マグネット２３を単に収納部９内面に貼り付ける構成を採用すると、底壁１２とシート状マグネット２３の境目に段差ができ、そこにヘアピン８が引っ掛かることがある。これを防ぐため、好ましくは、収納部９の内面で前後方向にシート状マグネット２３の厚さとほぼ同一の深さで、かつ、シート状マグネット２３とほぼ同一幅を有する溝部２５を形成し、この溝部２５に嵌り込むように、シート状マグネット２３が帯状に貼り付けるとよい。
これにより、シート状マグネット２３は収納部９内面とほぼ面一になり、ヘアピン８がその境目に引っ掛かり取りづらくなるといったことが無くなる。
【００１７】
なお、前記ヘアピン磁着部材２０の貼り付け方向は前後方向に限定されるものではなく、左右方向であっても問題はない。収納部９内面の全面に貼り付けてあってもよい。
さらに、図５に示すように、ケース本体２の底壁４１下面には滑り止め部材２１が設けてある。すなわち、ケース本体２の底壁４１下面には枠部２２が形成されており、その中側にゴム２４が貼り付けられて、その枠部２２よりゴム２４が下方に突出するようになっている。
【００１８】
したがって、ケース本体２をケース載置台４８に置いた場合に、このゴム２４がケース載置台４８と接触することになる。そのため、ヘアピン８を取り出したりオープナー３，６でヘアピン８を開脚させるときにも、ケース本体２がケース載置台４８上を滑ることが無くなり、作業をスムーズに行える。また、ケース本体２が狭いケース載置台４８に置かれている場合、そこからの滑り落ちをも防止できる。
なお、この滑り止め部材２１はゴム２４に限定されるものではなく、吸盤などであっても何ら問題はない。また、貼り付け位置は、底壁４１の中央１カ所に滑り止め部材２１を設けるものであってもよい。
【００１９】
ケース本体２には、ケース本体２の上方開口部４２を開閉するケースカバー７が、本体２に２つのヒンジ２７により回動自在に取り付けられている。このヒンジ２７は雄雌間で取り外しが可能なる構成であるため、ケースカバー７はケース本体２に着脱自在であり、必要に応じてケースカバー７を取り外しできる。
さらに、ケース本体２の前面左右２カ所に、閉蓋時にケース本体２とケースカバー７を連結固定する為のフック２６が設けられている。ケースカバーの前面２カ所には、前記フック２６が引っ掛かる突起部３０が設けられている。
【００２０】
このケースカバー７内面には、ヘアピン８の収納部９間移動を規制する規制部１５が形成されている。より詳しくは、前記仕切部４の上縁部５とケースカバー７内面により形成される隙間をなくすために、前記上縁部５に嵌合する２本の突条により形成される溝部２８が形成されている。
これにより、ケースカバー７をケース本体２に被せることで、収納部９の上方開口部４２を閉じることができると共に、上縁部５とケースカバー７内面により形成される隙間をなくすことができる。したがって、ケース本体２を持ち歩くなどして移動した場合でも、ケース本体２内からヘアピン８が外に飛び出てバラバラにならず、各収納部９間でのヘアピン８の移動すなわち異種ピン混合も防ぐことができる。また、この規制部１５はケースカバー７内面に設けられたリブとしての作用を奏し、ケースカバー７の剛性を上げることとなる。
【００２１】
なお、前記突条溝部２８と嵌り合う上縁部５は、好ましくは、図３，４に示すように、その両側で上方開口部４２とほぼ同一高さに、滑り止めゴム２９を貼り付けることがよい。これにより、突条溝部２８と上縁部５の嵌合状態が容易に解消されにくくなり、ひいてはケースカバー７が不用意に外れることを防ぐことになる。
以上述べた本実施形態のヘアピンケース１は、プラスチック等を材料とし、ケース本体２とケースカバー７がそれぞれ射出成形されている。しかしながら、この形態に限定されるものではなく、強度が必要とされる場合は、鋼板等を屈曲、溶接することで形成しても何ら問題はない。
【００２２】
次に、本実施形態のヘアピンケース１を使用方法を述べる。
予めヘアピン８を分別した上で各収納部９に個別に収納しておき、ヘアピンケース１をワゴン等のケース載置台４８に載せる。
この際、ケースカバー７はケース本体２に着脱自在であるため、ケースカバー７を取り外しておき、例えば、ヘアピン８をケースカバー７内面の規制部１５により区画された領域に分けて置いておくといった利用も可能となる。
また、本実施形態の場合、ピンケース１はケースカバー７内面にケース本体２の底壁４１全体がほぼ嵌り込む寸法形状を有している。したがって、取り外したケースカバー７をその内面が上方を向くようにケース載置台４８の上に置き、その上からケース本体２を嵌り込むように置くことができる。こうすることで、ケースカバー７がケース載置台４８の一部を占有することを防げる上に、ケース本体２の位置が高くなるためいっそうヘアピン８が取り出しやすくなる。この場合、ケースカバー７がケース載置台４８上を滑る可能性があるため、図３，４の２点鎖線のように、滑り止め部材２１をケースカバー７の上面にも設けることが好ましい。
【００２３】
ケース本体２からヘアピン８を取り出す場合は、各収納部９内面を前後方向に浚うように指を動かし、所望のヘアピン８を掬いとるようにする。
前述のように、各収納部９の底壁１２のコーナー部１７Ａ，１７Ｂは外向きに丸みを有している。これによると、コーナー部１７の丸みのため、ヘアピン８が少なくなってもコーナー部１７Ａに滞ることなくヘアピン８をスムーズに取り出せるようになる。また、コーナー部１７Ｂの丸みのため、ヘアピン８がコーナー部１７Ｂで押し戻され、常に収納部９の中央部に位置するようになり、その取り出しがさらに容易になる。
【００２４】
加えて、各収納部９の内面で前後方向に、シート状マグネット２３が帯状に貼り付けてある。これにより、収納部９の側壁１１上方にヘアピン８が一本ずつ分離して磁着することで、ヘアピン８を取り出しやすくなる上に指先でヘアピン８を探す手間が不要となる。
さらに、例えばアメリカピンなどのヘアピン８の場合は、図６に示すように、仕切オープナー６に上方から差し挟むことによりその開脚を容易に行うことができる。加えて、複数のヘアピン８をそのまま仕切オープナー６に差し挟みこんだ上で保持することが可能である。同様に、複数のヘアピン８をその短脚を上方にして、フランジオープナー３に差し挟みこんだ上で保持することも可能であり、これらのヘアピン８を上方に回動することでその短脚が開口部１０に挿入され、ヘアピン８を大きく開脚させることができる。つまり、各オープナー３，６におけるこれらの操作により、ヘアピン８の開脚が容易に行えるようになる。
【００２５】
なお、ヘアピン８としては、所定長さのテープに所定個数のヘアピンを挟んで装着したピン連装製品３５もあり、このピン連装製品３５の場合は、丸めて収納部９に収納しておく。使用時にはピン連装製品３５を取り出し、テープから複数のヘアピン８をまとめて抜き取り、前記フランジオープナー３や仕切オープナー６に差し挟むことで、その都度、収納部９からヘアピン８を取り出す手間を省くことが可能となる。
前述のフランジオープナー３によるピン開脚やヘアピン８を掬い取る過程で、ケース本体２に横方向の力が加わるため、ケース本体２がケース載置台４８を滑ることが考えられるが、本実施形態の場合、ケース本体２の底壁４１下面にゴム２４が貼り付けてあるため、ケース本体２がケース載置台４８上を滑ることが防止される。
【００２６】
なお、本発明は、上記実施の形態に限定されるものではない。
すなわち、フランジオープナー３はケース本体２の右側壁３９Ａの外側のみに設けられるものではなく、ケース本体側壁３９の全周に設けられてもよい。また、ケース本体２の側壁３９の２面若しくは３面に設けられていてもよい。左利きの使用者のこと念頭に置いた場合は左側壁３９Ｂの外側に設けることが好ましい。
また、仕切オープナー６はすべての仕切部４に設けられる必要はなく、前後方向仕切部４だけ若しくは左右方向仕切部４だけに設けられてもよい。ケース本体２内のただ１つの仕切部に設けられてあっても何ら問題はない。加えて、ヘアピンオープナーは仕切オープナー６とフランジオープナー３の２つに限定されるものではなく、ケースカバー７を一枚板で形成し、その側端をオープナーとして使用しても何ら問題はない。
【００２７】
また、本実施形態のヘアピンケース１はフランジオープナー３と仕切オープナー６の両方を備えているが、必ずしも両者を備える必要はなく、そのどちらか一方のみを有している構成であっても何ら問題はない。
また、収納部９は各種ヘアピンを収納できるようにその左右方向の長さが異なっているが、左右方向同一の長さであってもかまわない。逆に、上下方向に長さが異なっていても何ら問題はない。
また、収納部９を形成する仕切部４は、二重側壁構造である必要はなく、一枚の板であってその上縁部５の両側に滑り止めゴム２９を貼り付けたものでもよい。一枚の板でその上縁部５の両側に突起を設けたものでもよい。
【００２８】
また、ケースカバー７内面に形成された規制部１５は突条溝部２８である必要はなく、上縁部５と付き合わさる１本の突条のものであっても何ら問題はない。すなわち、この突条の規制部１５であってもヘアピン８の収納部９間移動を規制することが可能である。
【００２９】
【発明の効果】
本発明によれば、ヘアピン８を収納したケース本体２に、ヘアピン８を差し込み保持及び開脚しておくことができ、ヘアピン８の取り扱いを容易にできる。
【図面の簡単な説明】
【図１】  本発明の実施形態を示す斜視図である。
【図２】  本発明の実施形態を示す平面図である。
【図３】  ケースカバー分離状態での図２におけるＡ−Ａ線断面図である。
【図４】  ケースカバー分離状態での図２におけるＢ−Ｂ線断面図である。
【図５】  ケースカバー開放状態を示す底面図である。
【図６】  ヘアピンの開脚方法を示す斜視説明図である。
【符号の説明】
１      ヘアピンケース
２      ケース本体
３      フランジオープナー
４      仕切部
５      上縁部
６      仕切オープナー
７      ケースカバー
８      ヘアピン
９      収納部
１０    開口部
１１Ａ  （仕切部）左右方向側壁
１１Ｂ  （仕切部）前後方向側壁
１２    （収納部）底壁
１５    規制部
１７Ａ  左右方向コーナー部
１７Ｂ  前後方向コーナー部
２０    ヘアピン磁着部材
３２    空間
３９    （ケース本体）側壁
４１    （ケース本体）底壁
【図１】
0003894808.tif 000002
【図２】
0003894808.tif 000003
【図３】
0003894808.tif 000004
【図４】
0003894808.tif 000005
【図５】
0003894808.tif 000006
【図６】
0003894808.tif 000007